(57)【要約】【課題】ネットワークにより動画データを含むデータの送信が行われるシステムにおいて、動画データのみを効率よく監視する管理装置を提供する。【解決手段】動画データ配信システム１は、動画データ３４ｃを蓄積し配信するサーバ３と、配信された動画データ３４ｃを再生する第一種ネットワーク装置４と、動画データ３４ｃを監視して出力する管理装置としての印刷装置２とがネットワーク５を介して接続されている。印刷装置２は、複合機やプリンタ等として構成されるとともに、管理装置として構成され、ネットワーク５上に接続された動画データ３４ｃを再生可能な第一種ネットワーク装置４を識別して監視し、第一種ネットワーク装置４が動画データ３４ｃの再生を行っていると判断した場合に、動画データ３４ｃのパケットをネットワーク５上から取得して、静止画像として出力する。【選択図】図１
2007208541.tif 000002
【特許請求の範囲】
【請求項１】
ネットワークを介して動画データを受信すると共に、該動画データに基づく動画再生機能を有した第一種ネットワーク装置と、該動画再生機能を有さない第二種ネットワーク装置とが混在された前記ネットワーク上にて、前記第一種ネットワーク装置と前記第二種ネットワーク装置とを識別するネットワーク装置識別手段と、
前記ネットワーク装置識別手段により識別された前記第一種ネットワーク装置を監視対象として設定する監視対象設定手段と、
前記ネットワークを介して、前記監視対象設定手段により監視対象に設定された前記第一種ネットワーク装置に対し、動画データの送信が行われているかを判断する判断手段と、
前記判断手段により前記第一種ネットワーク装置が前記動画データの送信が行われていると判断した場合に、前記動画データのパケットを前記ネットワーク上にて取得するパケット取得手段と、
監視画像データを前記動画データの前記パケットに基づいて生成する監視画像データ生成手段と、
該監視画像データ生成手段により生成した前記監視画像データを監視画像として出力手段に出力させる出力制御手段と、
を備えることを特徴とする管理装置。
【請求項２】
前記監視画像データ生成手段は、前記第一種ネットワーク装置に送信される前記動画データよりも単位時間当たりの画像フレーム数が減じられた前記監視画像データを前記動画データの前記パケットに基づいて生成する請求項１に記載の管理装置。
【請求項３】
前記監視画像データ生成手段は、前記監視画像データを静止画像データとして生成する静止画像データ生成手段であり、前記出力制御手段は、前記静止画像データに基づく静止画像を出力させる請求項１又は２に記載の管理装置。
【請求項４】
前記パケット取得手段は、前記動画データの送信期間中に定期的に前記パケットの取得を継続し、前記静止画像データ生成手段は、取得の時系列順に前記パケットに基づく静止画像データを生成するものであり、
前記出力制御手段は、前記静止画像データに基づく前記静止画像を出力させる請求項３に記載の管理装置。
【請求項５】
前記静止画像データを記憶手段に記憶させる記憶制御手段をさらに備え、
前記出力制御手段は、利用者からの出力要求を受けることを条件として、前記記憶手段に記憶された前記静止画像データに基づく静止画像を出力させる請求項３又は４に記載の管理装置。
【請求項６】
前記出力制御手段は、前記静止画像データに基づく静止画像を印刷出力させる請求項３乃至５のいずれか１項に記載の管理装置。
【請求項７】
前記出力制御手段は、該パケットで構成された前記動画データを再生する前記第一種ネットワーク装置を特定可能な識別情報を合わせて出力させる請求項１乃至６のいずれか１項に記載の管理装置。
【請求項８】
前記出力制御手段は、前記パケットの送信元となるサーバを特定可能な識別情報を合わせて出力させる請求項１乃至７のいずれか１項に記載の管理装置。
【請求項９】
前記出力制御手段は、前記パケットで構成された前記動画データを特定可能な識別情報を合わせて出力させる請求項１乃至８のいずれか１項に記載の管理装置。
【請求項１０】
前記判断手段は、前記第一種ネットワーク装置が前記ネットワーク上のサーバに対して動画データの送信要求を行ったかを判断することにより前記動画データの送信が行われているかを判断する請求項１乃至９のいずれか１項に記載の管理装置。
【請求項１１】
コンピュータを、
ネットワークを介して動画データを受信すると共に、該動画データに基づく動画再生機能を有した第一種ネットワーク装置と、該動画再生機能を有さない第二種ネットワーク装置とが混在された前記ネットワーク上にて、前記第一種ネットワーク装置と前記第二種ネットワーク装置とを識別するネットワーク装置識別手段と、
前記ネットワーク装置識別手段により識別された第一種ネットワーク装置を監視対象として設定する監視対象設定手段と、
前記ネットワークを介して、前記監視対象設定手段により監視対象に設定された前記第一種ネットワーク装置に対し、動画データの送信が行われているかを判断する判断手段と、
前記判断手段により前記第一種ネットワーク装置が前記動画データの送信が行われていると判断した場合に、前記動画データのパケットを前記ネットワーク上から取得するパケット取得手段と、
監視画像データを前記動画データの前記パケットに基づいて生成する監視画像データ生成手段と、
該監視画像データ生成手段により生成した前記監視画像データを監視画像として出力手段に出力させる出力制御手段として機能させるためのプログラム。
【発明の詳細な説明】
【技術分野】
【０００１】
本発明は、ネットワークを介して送信される動画データを監視する管理装置及びプログラムに関する。
【背景技術】
【０００２】
従来からインターネット等のネットワークを介して、動画データが蓄積されているサーバからクライアント側の端末装置に動画データを送信して、端末装置によって視聴することや、電子会議システムのように、ネットワークを利用して隔地にいる参加者が映像や音声をリアルタイムにやりとりすることが行われている。
【０００３】
さらに、ネットワークによって送信される動画データを監視して、所定の条件を満たす動画データを記録等することが行われている。特許文献１には、ネットワーク上にあるデータのヘッダ情報から、会議の動画データについてフィルタリングをかけ、会議の動画データのみを選択的に記録している。
【０００４】
【特許文献１】特開２００５−２２９６０１号公報
【発明の開示】
【発明が解決しようとする課題】
【０００５】
しかしながら、特許文献１のスニッファの技術を用いる場合は、一旦、ネットワーク上に流れるデータがどのようなデータであるかを全て（動画データか否かを問わず）監視し、その中から必要とする動画データをフィルタリングしているため、動画データとは無関係のデータ（例えば、静止画像データ）も監視しなければならない。このような無関係なデータまで監視対象としてしまうと、動画データのように複数フレームからなるパケットについて、ネットワーク上のトラフィック負荷により、パケット送信の遅延やパケット抜け等が発生していないかを監視するために、さらにトラフィック負荷をかけることとなり望ましくない。また、全てのデータを監視することは、監視側にとっても負荷がかかる。
【０００６】
本発明の課題は、ネットワークにより動画データを含むデータの送信が行われるシステムにおいて、動画データのみを効率よく監視する管理装置及びプログラムを提供することにある。
【課題を解決するための手段及び発明の効果】
【０００７】
上記課題を解決するための本発明の管理装置は、ネットワークを介して動画データを受信すると共に、該動画データに基づく動画再生機能を有した第一種ネットワーク装置と、該動画再生機能を有さない第二種ネットワーク装置とが混在されたネットワーク上にて、第一種ネットワーク装置と第二種ネットワーク装置とを識別するネットワーク装置識別手段と、ネットワーク装置識別手段により識別された第一種ネットワーク装置を監視対象として設定する監視対象設定手段と、ネットワークを介して、監視対象設定手段により監視対象に設定された第一種ネットワーク装置に対し、動画データの送信が行われているかを判断する判断手段と、判断手段により第一種ネットワーク装置が動画データの送信が行われていると判断した場合に、動画データのパケットをネットワーク上にて取得するパケット取得手段と、第一種ネットワーク装置に送信される動画データよりも単位時間当たりの画像フレーム数が減じられた監視画像データを動画データのパケットに基づいて生成する監視画像データ生成手段と、該監視画像データ生成手段により生成した監視画像データを監視画像として出力手段に出力させる出力制御手段と、を備える。
【０００８】
上記構成によれば、管理装置は、ネットワーク装置識別手段によって、ネットワーク上に接続された動画データを再生可能な第一種ネットワーク装置を識別し、監視対象設定手段によって、その第一種ネットワーク装置を監視対象として設定することができる。そして、監視対象の第一種ネットワーク装置に対し動画データの送信が行われている場合に、動画データのパケットを取得して、監視画像データを生成し、監視画像を出力（例えば、表示、印刷）することができる。すなわち、動画データを再生できない端末装置に、動画データが送信されることは考えにくいため、予め動画データを再生可能な第一種ネットワーク装置を検出しておき、その第一種ネットワーク装置を監視対象とすることで、不要な送信データを監視する必要がなくなる。よって、ネットワークにより動画データを含む様々なデータの送信が行われるシステムにおいて、動画データのみを効率よく監視することができる。
【０００９】
さらに、監視画像データ生成手段は、第一種ネットワーク装置に送信される動画データよりも単位時間当たりの画像フレーム数が減じられた監視画像データを動画データのパケットに基づいて生成し、出力制御手段が、その監視画像データを監視画像として出力手段に出力させる。このような構成により、動画データのパケットを取得してデータ量を減じてから出力することができる。つまり動画データのうちの一部のデータのみが出力されることにより動画データを効率よく監視することができる。
【００１０】
監視画像データ生成手段は、監視画像データを静止画像データとして生成する静止画像データ生成手段であり、出力制御手段は、静止画像データに基づく静止画像を出力させる。すなわち、本発明の管理装置は、パケット取得手段により取得したパケットから静止画像データを生成して、静止画像として出力させる。つまり、管理装置は、ネットワークを介して送信されている動画データの一部を静止画像として出力することができる。これにより、ネットワークを介して送信される動画データがどのようなものであるかユーザが把握することができる。
【００１１】
パケット取得手段は、動画データの送信期間中に定期的にパケットの取得を継続し、静止画像データ生成手段は、取得の時系列順にパケットに基づく静止画像データを生成するものであり、出力制御手段は、静止画像データに基づく静止画像を出力させる。つまり本発明の管理装置は、例えば、パケットが送信された所定の時刻の静止画像データを生成して静止画像を出力させることができる。これにより、所定の時刻の動画データを静止画像として、ユーザが把握することができる。
【００１２】
さらに本発明の管理装置は、静止画像データを記憶手段に記憶させる記憶制御手段をさらに備え、出力制御手段は、利用者からの出力要求を受けることを条件として、記憶手段に記憶された静止画像データに基づく静止画像を出力させる。上記構成によれば、記憶手段に記憶された静止画像データを静止画像として出力して、動画データの一部をユーザが把握することができる。
【００１３】
本発明の管理装置の出力制御手段は、静止画像データに基づく静止画像を印刷出力させる。これにより、用紙等に印刷された静止画として動画データの一部をユーザが把握することができる。
【００１４】
本発明の管理装置の出力制御手段は、パケットで構成された動画データを再生する第一種ネットワーク装置を特定可能な識別情報を合わせて出力させる。これにより、どの第一種ネットワーク装置に送信されている動画データであるかをユーザが容易に把握することができる。
【００１５】
本発明の管理装置の出力制御手段は、パケットの送信元となるサーバを特定可能な識別情報も合わせて出力させる。これにより、パケットの送信元の装置をユーザが容易に把握することができる。
【００１６】
出力制御手段は、パケットで構成された動画データを特定可能な識別情報を合わせて出力させる。例えば、動画データのタイトル名や再生日時等を合わせて出力させることにより、ユーザの動画データの識別が容易になる。
【００１７】
そして、判断手段は、第一種ネットワーク装置がネットワーク上のサーバに対して動画データの送信要求を行ったかにより動画データの再生を行っているかを判断することができる。すなわち管理装置は、第一種ネットワーク装置が動画データの送信要求をするかを監視し、第一種ネットワーク装置が動画データの送信要求を行うことによって、監視対象に設定された第一種ネットワーク装置が、ネットワークを介して送信される動画データの再生を行っていると判断することができる。
【００１８】
上記課題を解決するための本発明のプログラムは、コンピュータを、ネットワークを介して動画データを受信すると共に、該動画データに基づく動画再生機能を有した第一種ネットワーク装置と、該動画再生機能を有さない第二種ネットワーク装置とが混在されたネットワーク上にて、第一種ネットワーク装置と第二種ネットワーク装置とを識別するネットワーク装置識別手段と、ネットワーク装置識別手段により識別された第一種ネットワーク装置を監視対象として設定する監視対象設定手段と、ネットワークを介して、監視対象設定手段により監視対象に設定された第一種ネットワーク装置に対し、動画データの送信が行われているかを判断する判断手段と、判断手段により第一種ネットワーク装置が動画データの送信が行われていると判断した場合に、動画データのパケットをネットワーク上から取得するパケット取得手段と、第一種ネットワーク装置に送信される動画データよりも単位時間当たりの画像フレーム数が減じられた監視画像データを動画データのパケットに基づいて生成する監視画像データ生成手段と、該監視画像データ生成手段により生成した監視画像データを監視画像として出力手段に出力させる出力制御手段として機能させる。
【００１９】
上記構成によれば、本発明のプログラムは、コンピュータを、ネットワーク装置識別手段、監視対象設定手段、判断手段、パケット取得手段、監視画像データ生成手段、出力制御手段として機能させることができる。これにより、ネットワークを介して特定の第一種ネットワーク装置に対して送信される動画データを監視して、その動画データのパケットを取得してデータ量を減じてから出力させることができる。つまり動画データを効率よく監視することができる。
【発明を実施するための最良の形態】
【００２０】
以下図面を参照しつつ本発明の実施の形態について説明する。
【実施例１】
【００２１】
図１は、動画データ配信システムの一例を示す全体構成である。図１の動画データ配信システム１は、動画データ３４ｃ（図３参照）を蓄積し配信するサーバ３（サーバ−Ａ３ａ，サーバ−Ｂ３ｂ）と、配信された動画データ３４ｃを再生する第一種ネットワーク装置４（テレビ（ＴＶ）−Ａ４ａ，テレビ−Ｂ４ｂ，テレビ−Ｃ４ｃ）と、動画データ３４ｃを監視して出力する管理装置としての印刷装置２とがネットワーク５を介して接続されている。また、ネットワーク５には、シリアル通信ケーブル、パラレル通信ケーブル、有線ＬＡＮケーブル等の有線通信ネットワークを用いることができ、無線ＬＡＮ、ＩＥＥＥ  ８０２．１１ｘ、Ｂｌｕｅｔｏｏｔｈ（登録商標）等を用いる無線通信ネットワークとすることもできる。サーバ３と、第一種ネットワーク装置４と、印刷装置２は、それぞれネットワークインターフェースを備えて、データを送受信する。
【００２２】
サーバ３と、第一種ネットワーク装置４と、印刷装置２は、例えば、ＵＰｎＰ（Universal Plug and Play）等のネットワーク機器自動検出プロトコルに対応した機器として構成されている。ＵＰｎＰ方式は、ＰＣ（Ｐｅｒｓｏｎａｌ Ｃｏｍｐｕｔｅｒ）や周辺機器、ＡＶ機器、電話、家電製品などの機器をネットワーク５を通じて接続して、相互に機能を提供しあうための技術仕様であり、インターネットで標準となっている技術を基盤とし、ネットワーク５につなぐだけで複雑な操作や設定作業を伴うことなく機能させるものである。
【００２３】
第一種ネットワーク装置４は、ネットワーク接続機能、動画再生機能を備え、サーバ３に動画データ３４ｃの送信を要求し、サーバ３から送信される動画データ３４ｃのパケット受信して再生表示可能なネットワークテレビとして構成されている。つまり、ネットワーク５を介して、符号化された動画データ３４ｃにより構成されるコンテンツの視聴が可能となっている。
【００２４】
さらにネットワーク５には、エアコン、照明機器等のネットワーク家電が第二種ネットワーク装置７として接続されていてもよい。
【００２５】
図２に印刷装置２のブロック図を示す。印刷装置２は、ＣＰＵ１１、各種プログラムを記憶するＲＯＭ１２、ワークメモリを備えるＲＡＭ１３、ＦＡＸ通信制御部１４、スキャナ部１５、パネル表示部１６、印刷部１７、記憶部１８、バスライン１９、ネットワーク５に接続されるＬＡＮ通信制御部２０を備えて構成される。印刷装置２は、サーバ３等から送信された印刷データに基づいて、用紙等の被画像形成媒体上に画像を形成することができる装置であり、複合機能周辺機器（Multifunction Peripheral。以下「ＭＦＰ」と略する。）やプリンタ等として構成されたものであり、管理装置としての機能を有する。
【００２６】
ＣＰＵ１１は、印刷装置２を制御する中央演算処理装置で、バスライン１９を介して、後述するＲＯＭ１２や後述するＲＡＭ１３などと接続され、ＲＯＭ１２に格納された各種プログラムを読み出して実行する。
【００２７】
ＲＯＭ１２は、読み出し専用記憶装置であり、オペレーティングシステム（ＯＳ）１２ａ、通信プログラム１２ｂ、動画データ処理プログラム１２ｃ、印刷処理を行う印刷プログラム１２ｄなどが格納されている。ＲＡＭ１３には、各プログラムのワークエリア１３ａ，１３ｂ，１３ｃ，１３ｄが形成されるとともに、モニタリング用バッファ１３ｅが形成されている。
【００２８】
ＦＡＸ通信制御部１４は、ＦＡＸデータの送受信制御を行うものである。スキャナ部１５は、イメージセンサ等を含み、コピーやＦＡＸ送信の際に原稿の読み取りを行う読取手段である。パネル表示部１６は、ＬＣＤ等からなる表示部、タッチパネル、押しボタンスイッチあるいはテンキーなどから構成された入力部等を備える。印刷部１７は、周知のインクジェット印字機構、レーザー印字機構、熱転写印字機構、あるいはドットインパクト式印字機構などを備え、用紙等の被画像形成媒体上に画像等を印刷出力する。
【００２９】
記憶部１８は、読み出し・書き込み可能な記憶装置であり、ハードディスクドライブ（ＨＤＤ）等として構成され、ネットワーク５から受信したデータを記憶するものである。或いは、ＥＥＰＲＯＭ（Electrically Erasable ＆ Programmable Read Only Memory：電気的消去・プログラム可能・読出し専用メモリ）等の不揮発性メモリで構成されていてもよい。記憶部１８は、記憶手段として機能する。
【００３０】
モニタリング用バッファ１３ｅ又は記憶部１８には、サーバ３ａ，３ｂから送信された動画データ３４ｃや、印刷装置２が検索して監視対象として設定した第一種ネットワーク装置４ａ，４ｂ，４ｃのリストなどが格納される。リストには、第一種ネットワーク装置４ａ，４ｂ，４ｃの固有情報であるＭＡＣアドレス（Media Access Control Address）、ＩＰアドレス（Internet Protocol Address）、デバイス名などが格納される。なおＲＡＭ１３に十分な容量を確保できるようにすれば、記憶部１８を省略して構成してもよい。
【００３１】
ＬＡＮ通信制御部２０は、周知のＬＡＮカードとして構成されており、印刷装置２は、ＬＡＮ通信制御部２０を介してネットワーク５に接続されている。
【００３２】
ＣＰＵ１１がＲＯＭ１２に格納されたプログラム１２ａ，１２ｂ，１２ｃ，１２ｄを実行することにより、ネットワーク装置識別手段、監視対象設定手段、判断手段、パケット取得手段、静止画像データ生成手段、出力制御手段、記憶制御手段として機能する。以上のように印刷装置２は、管理装置としての機能を備えて構成され、後述するようにネットワーク５を介して動画データ３４ｃを取得して静止画像データを生成し、静止画像を印刷出力する。
【００３３】
図３は、サーバ３の電気的構成を示すブロック図である。サーバ３は、ＣＰＵ３１、ワークメモリ３２ａを備えるＲＡＭ３２、各種プログラムを記憶するＲＯＭ３３、記憶装置であるハードディスクドライブ（ＨＤＤ）３４、バスライン３５、入出力部（図中では「Ｉ／Ｏ」と表示）３６、ＣＤ−ＲＯＭドライブ３９及びネットワーク５に接続されて動画データ３４ｃ等を送受信する送受信用の通信インターフェース４０等を備えたパーソナルコンピュータ（あるいはワークステーション）として構成される。ＨＤＤ３４やＣＤ−ＲＯＭドライブ３９は、インターフェース４４、４９を介してバスライン３５に接続されている。ＨＤＤ３４は、サーバ３としての基盤ソフトウェアとなるＯＳ３４ａ、通信プログラム３４ｂ、第一種ネットワーク装置４へ送信される動画データ３４ｃ等が記憶されている。入出力部３６には、キーボードあるいはマウス等からなる入力部３７、ＬＣＤあるいはＣＲＴからなる表示部３８が接続されている。
【００３４】
以上の構成により、サーバ３は、第一種ネットワーク装置４からの動画送信要求を受けると、ネットワーク５を介して動画データ３４ｃをパケットとして送信する。
【００３５】
図４を用いて印刷装置２による動画データ３４ｃの監視処理について説明する。
印刷装置２の電源がオンとされると（Ｓ１）、印刷装置２のＣＰＵ１１は、通信プログラム１２ｂを実行して、例えば、前述のＵＰｎＰ方式の通信によって、ネットワーク５上の機器に対して検索信号を送信し、この検索信号に対する各機器からの応答信号を受信することにより、ネットワーク５上に映像（動画データ３４ｃ）を再生可能な第一種ネットワーク装置４があるかを判定する（Ｓ２）。第一種ネットワーク装置４があるか否かの判定は、第一種ネットワーク装置４を検出することによって行ってもよいし、第二種ネットワーク装置７を検出することによって第一種ネットワーク装置４と第二種ネットワーク装置７とを識別するようにしてもよい。第一種ネットワーク装置４がなければ（Ｓ２：Ｎｏ）、所定の時間間隔で、第一種ネットワーク装置４の検出を行う。
【００３６】
第一種ネットワーク装置４が検出されると（Ｓ２：Ｙｅｓ）、印刷装置２のＣＰＵ１１は、検出した第一種ネットワーク装置４用にモニタリング用バッファ１３ｅをＲＡＭ１３に用意する（Ｓ３）。印刷装置２がネットワーク５に接続された第一種ネットワーク装置４を認識することにより、その第一種ネットワーク装置４に送信される動画データ３４ｃを監視することが可能となる。次に、印刷装置２のＣＰＵ１１は、第一種ネットワーク装置４のいずれかがサーバ３に転送要求を開始したかを監視する（Ｓ４）。
【００３７】
第一種ネットワーク装置４のいずれかに対してサーバ３から動画データ３４ｃが送信する場合、サーバ３は、動画データ３４ｃに宛先の第一種ネットワーク装置４を指定した宛先データを含めて、ネットワーク５に接続されるすべての装置に対して動画データ３４ｃを送信するため、印刷装置２は、第一種ネットワーク装置４へ送信された動画データ３４ｃを受信して、動画データ３４ｃに含まれるコンテンツのタイトルをＲＡＭ１３のモニタリング用バッファ１３ｅ（又は記憶部１８）に保存する（Ｓ５）。
【００３８】
印刷装置２の動画データ処理プログラム１２ｃは、所定の時刻において動画データ３４ｃのパケットに基づいて静止画像データを生成し、その静止画像データを保存するように構成されており、印刷装置２のＣＰＵ１１は、静止画像データを保存する時刻になったかを監視し、所定の時刻になれば（Ｓ６：Ｙｅｓ）、送信パケット中のＩＰアドレスより、送信先を特定し、動画データ３４ｃのパケットから静止画像データを生成してＲＡＭ１３のモニタリング用バッファ１３ｅに保存する（又は記憶部１８に保存するように構成してもよい）（Ｓ７）。つまり、所定の時刻ごとに各動画データ３４ｃ中の静止画像データが保存される。すなわち時系列順にパケットに基づく静止画像データが生成される。
【００３９】
図５を用いて、静止画像データの保存について説明する。サーバ３に格納され第一種ネットワーク装置４ａ，４ｂ，４ｃへ送信される動画データ３４ｃは、例えば、ＭＰＥＧ方式などで圧縮符号化されている。ＭＰＥＧ方式で圧縮符号化された動画データ３４ｃは、時系列に並んだフレーム（Ｉフレーム５１、Ｂフレーム５２、Ｂフレーム５２、Ｐフレーム５３、Ｂフレーム５２、Ｂフレーム５２、Ｐフレーム５３…）によって構成されている。
【００４０】
Ｉフレーム５１は、参考フレームとされ、全体画像フレームを圧縮して、フレーム内符号化を行い、他のフレームの圧縮の基礎となるものである。Ｉフレーム５１は、ＪＰＥＧなどの静止画圧縮と同様の圧縮概念で圧縮されており、完全な一つの静止画像の情報を含んでおり、他のフレームから予測された情報を含まないものである。Ｐフレーム５３は前のＩフレーム５１を参考画像とし、フレーム中の重複した部分を保存せず、２枚のフレームの異なるところだけを保存するフレーム間予測符号化を行ったものである。Ｂフレーム５２は、Ｉフレーム５１もしくはＰフレーム５３を参照画とし、フレーム間予測符号化を行ったものである。
【００４１】
印刷装置２は、サーバ３から送信されるパケットに含まれるＭＰＥＧ方式で圧縮された動画データ３４ｃの中から、取り込み指定時刻直後のＩフレーム５１のデータを静止画像データとして保存する。
【００４２】
図６にパネル表示部１６等に表示されるモニタリングの出力画面の例を示す。各第一種ネットワーク装置４ａ，４ｂ，４ｃごとに、その第一種ネットワーク装置４ａ，４ｂ，４ｃへ動画データ３４ｃを送信するサーバ名、動画データ３４ｃを受信する第一種ネットワーク装置名（テレビ名）、動画データ３４ｃのタイトル名が出力される。そして、所定の時刻に送信されていた画像が、第一種ネットワーク装置４ａ，４ｂ，４ｃに対応して出力される。これにより、いつどの第一種ネットワーク装置４ａ，４ｂ，４ｃに対して、どのような動画データ３４ｃが送信されていたかをユーザが知ることができる。
【００４３】
例えば、図６では、第一種ネットワーク装置（テレビ−Ａ）４ａ，第一種ネットワーク装置（テレビ−Ｂ）４ｂが１０時１０分には動画データ３４ｃの受信を開始しており、第一種ネットワーク装置（テレビ−Ｃ）４ｃは、１０時３０分に動画データ３４ｃを開始したことをユーザが知ることができる。また第一種ネットワーク装置（テレビ−Ａ）４ａは、１０時５０分より前に動画データ３４ｃの受信を終了していることをユーザが知ることができる。
【００４４】
図４に戻り、印刷の指定がユーザによってなされると（Ｓ８：Ｙｅｓ）、指定の書式で印刷を行う。図７〜図１０を用いて、印刷出力の例を説明する。図７は、ユーザの操作等による印刷出力の指定を示す。（１）のようにテレビ及び時刻を指定すると、図８に示すように１枚の用紙に１画面が印刷装置２によって印刷されて出力される。用紙には、静止画像（印刷画面Ａ（ｎ＋１））の他に、転送元（サーバ名）、転送先（第一種ネットワーク装置名）、タイトル等の識別情報も合わせて印刷される。図７の（２）のように、テレビを指定すると、図９に示すように、指定されたテレビ（図ではテレビ−Ａ）の送信された動画データ３４ｃが所定の時刻ごとに静止画像として印刷装置２によって印刷されて出力される。さらに図７の（３）のように、特定の時刻を指定すると、図１０に示すように、その時刻における、それぞれのテレビの送信された動画データ３４ｃが静止画像として印刷装置２によって印刷されて出力される。
【００４５】
図４に戻り、印刷処理の後、印刷装置２のＣＰＵ１１は、動画データ３４ｃの監視処理が終了でなければ（Ｓ１０：Ｎｏ）、Ｓ６に戻り、以上の処理を繰り返す。
【実施例２】
【００４６】
図１１及び図１２を用いて、第一種ネットワーク装置４ａ，４ｂ，４ｃに既に動画データ３４ｃの転送が開始されている場合において、管理装置としての印刷装置２の電源がオンとされたときの処理について説明する。印刷装置２の電源がオンとされると（Ｓ２１）、印刷装置２のＣＰＵ１１は、例えば、前述の実施例１と同様に、ネットワーク５上に映像（動画データ３４ｃ）再生可能な第一種ネットワーク装置４があるかを判定する（Ｓ２２）。第一種ネットワーク装置４がなければ（Ｓ２２：Ｎｏ）、所定の時間間隔で、第一種ネットワーク装置４の検出を行う。
【００４７】
第一種ネットワーク装置４が検出されると（Ｓ２２：Ｙｅｓ）、印刷装置２のＣＰＵ１１は、検出した第一種ネットワーク装置４用にモニタリング用バッファ１３ｅをＲＡＭ１３に確保する（Ｓ２３）。印刷装置２がネットワーク５に接続された第一種ネットワーク装置４を認識することにより、その第一種ネットワーク装置４に送信される動画データ３４ｃを監視することが可能となる。
【００４８】
第一種ネットワーク装置４のいずれかに対してサーバ３から動画データ３４ｃが送信されている場合、印刷装置２は、第一種ネットワーク装置４へ送信された動画データ３４ｃを受信して、動画データ３４ｃに含まれるコンテンツのタイトルが取得できれば（Ｓ２４：ＹＥＳ）、ＲＡＭ１３（又は記憶部６８）に保存する（Ｓ２５）。既に動画データ３４ｃの送信が開始されているため、コンテンツのタイトルが取得できない場合は、タイトルは、ＲＡＭ１３に保存されない。
【００４９】
印刷装置２の動画データ処理プログラム１２ｃは、所定の時間において動画データ３４ｃのパケットに基づいて静止画像データを生成し、その静止画像データを保存するように構成されており、印刷装置２のＣＰＵ１１は、静止画像データを保存する時刻になったかを監視し、所定の時刻になれば（Ｓ２６：Ｙｅｓ）、送信パケット中のＩＰアドレスより、送信先を特定し、動画データ３４ｃのパケットから静止画像データを生成してＲＡＭ１３のモニタリング用バッファ１３ｅ（又は記憶部１８）に保存する（Ｓ２７）。つまり、所定の時刻に各動画データ３４ｃ中の静止画像データが保存される。印刷装置２は、サーバ３から送信されるパケットに含まれるＭＰＥＧ方式で圧縮された動画データ３４ｃの中から、取り込み指定時刻直後のＩフレーム５１のデータを静止画像データとして保存する。例えば、図１２に示すように静止画像データが保存される。図１２では、１０時１０分に、各第一種ネットワーク装置（テレビ−Ａ，Ｂ，Ｃ）４ａ，４ｂ，４ｃに動画データ３４ｃが送信されているため、それぞれの動画データ３４ｃに基づく静止画像データ（画像Ａ（ｎ），画像Ｂ（ｎ），画像Ｃ（ｎ））が保存されている。
【００５０】
印刷の指定がユーザによってなされると（Ｓ２８：Ｙｅｓ）、静止画像データに基づく静止画像を指定の書式で印刷する（Ｓ２９）。例えば、図７〜図１０に示したような印刷出力を行う。
【実施例３】
【００５１】
図１３に第一種ネットワーク装置４ａが管理装置として構成された場合について説明する。図１３の動画データ配信システム１は、動画データ３４ｃを蓄積し配信するサーバ３と、配信された動画データ３４ｃを再生する第一種ネットワーク装置４と、印刷装置２とがネットワーク５を介して接続されている。第一種ネットワーク装置４ａ，４ｂ，４ｃのうち第一種ネットワーク装置４ａは、管理装置としても構成され、印刷装置２は、公知のネットワークプリンタ等として構成されている。
【００５２】
図１４に管理装置として構成された第一種ネットワーク装置４ａを示す。第一種ネットワーク装置４ａは、ＣＰＵ６１、各種プログラムを記憶するＲＯＭ６２、ワークメモリを備えるＲＡＭ６３、操作部６５、表示部６６、記憶部６８、バスライン６９、ネットワーク５に接続されるＬＡＮ通信制御部７０を備えて構成される。第一種ネットワーク装置４ａは、前述のようなネットワークテレビに、管理装置としての機能を備えて構成されたものである。
【００５３】
ＣＰＵ６１は、第一種ネットワーク装置４ａを制御する中央演算処理装置で、バスライン６９を介して、後述するＲＯＭ６２や後述するＲＡＭ６３などと接続され、ＲＯＭ６２に格納された各種プログラムを読み出して実行する。
【００５４】
ＲＯＭ６２は、読み出し専用記憶装置であり、オペレーティングシステム（ＯＳ）６２ａ、通信プログラム６２ｂ、動画データ処理プログラム６２ｃ、表示部６６に動画データ３４ｃを映像として表示するための表示プログラム６２ｄなどが格納されている。ＲＡＭ６３には、各プログラムのワークエリア６３ａ，６３ｂ，６３ｃ，６３ｄが形成されるとともに、モニタリング用バッファ６３ｅが形成されている。
【００５５】
操作部６５は、押しボタンスイッチ等により構成された入力部等を備える。表示部６６は、例えば、ＬＣＤ等によって構成され、ＣＰＵ６１が表示プログラム６２ｄを実行することにより動画データ３４ｃ等を映像として表示する。
【００５６】
記憶部６８は、読み出し・書き込み可能な記憶装置であり、ハードディスクドライブ（ＨＤＤ）等として構成され、ネットワーク５から受信したデータを記憶するものである。或いは、ＥＥＰＲＯＭ（Electrically Erasable ＆ Programmable Read Only Memory：電気的消去・プログラム可能・読出し専用メモリ）等の不揮発性メモリで構成されていてもよい。
【００５７】
モニタリング用バッファ６３ｅ又は記憶部６８には、サーバ３ａ，３ｂから送信された動画データ３４ｃや、第一種ネットワーク装置４ａが検索して監視対象として設定した第一種ネットワーク装置４ａ，４ｂ，４ｃのリストなどが格納される。リストには、第一種ネットワーク装置４ａ，４ｂ，４ｃの固有情報であるＭＡＣアドレス（Media Access Control Address）、ＩＰアドレス（Internet Protocol Address）、デバイス名などが格納される。
【００５８】
ＬＡＮ通信制御部７０は、周知のＬＡＮカードとして構成されており、第一種ネットワーク装置４ａは、ＬＡＮ通信制御部７０を介してネットワーク５に接続されている。
【００５９】
上記構成により、図１３に示すように、サーバ３（サーバ−Ａ３ａ、サーバ−Ｂ３ｂ）から映像（動画データ３４ｃ）が第一種ネットワーク装置４（テレビ−Ａ４ａ，Ｂ４ｂ，Ｃ４ｃ）に送信され、各第一種ネットワーク装置４ａ，４ｂ，４ｃにおいて動画データ３４ｃが再生されて表示される。第一種ネットワーク装置４ａは、サーバ３から動画データ３４ｃを受信して、表示することができる。また、第一種ネットワーク装置４ａは、管理装置として構成されていることから、ネットワーク５上に接続された第一種ネットワーク装置４を検出して、それぞれの第一種ネットワーク装置４に送信される動画データ３４ｃに基づいて、所定の時刻に静止画像データを生成して格納することができる。そして、静止画像データを所定の条件により静止画像として印刷装置２に印刷出力させることができる。印刷出力については、前述の実施例１，２と同様に行うことができるため、詳しい説明は省略する。したがって、第一種ネットワーク装置４ａは、ネットワーク装置識別手段、監視対象設定手段、判断手段、パケット取得手段、静止画像データ生成手段、出力制御手段を備える管理装置であり、印刷装置２は、出力手段である。
【００６０】
以上のように、管理装置がネットワーク５に接続された動画データ３４ｃを再生可能な第一種ネットワーク装置４を検出し、その第一種ネットワーク装置４へ送信される動画データ３４ｃを取得して、そのうちの一部を静止画像データとして保存することにより、動画データ３４ｃを容易に取得することができるとともに、静止画像データに基づいて静止画像を出力することにより、どのような動画データ３４ｃが配信されているか、また正常に配信されているか等をユーザが知ることができる。
【００６１】
なお上記実施例において、動画データのパケットから静止画データを生成する場合について説明したが、第一種ネットワーク装置に送信される動画データよりも単位時間当たりの画像フレーム数が減じられた監視画像データを動画データのパケットに基づいて生成するように構成してもよい。すなわち、動画データの一部を動画として表示することによっても、データ量が減じられて出力されることになり、動画データを効率よく監視することができる。この場合、管理装置としての機能を有する印刷装置２のＣＰＵ１１（図２参照），管理装置としての機能を有する第一種ネットワーク装置４ａのＣＰＵ６１（図１４参照）が監視画像データ生成手段として機能する。
【図面の簡単な説明】
【００６２】
【図１】本発明の管理装置を含む動画データ配信システムの一実施例を示す図。
【図２】管理装置としての印刷装置の一実施例を示すブロック図。
【図３】サーバの一実施例を示すブロック図。
【図４】印刷装置における動画データの監視処理を説明する図。
【図５】静止画像データの保存を説明する図。
【図６】モニタリングの出力画面の例を示す図。
【図７】印刷出力の指定を説明する図。
【図８】印刷出力の実施例を示す図。
【図９】印刷出力の他の実施例を示す図。
【図１０】印刷出力の他の実施例を示す図。
【図１１】印刷装置における動画データの監視処理の他の実施例を説明する図。
【図１２】モニタリングの出力画面の例を示す図。
【図１３】第一種ネットワーク装置が管理装置として構成された動画データ配信システムの一実施例を示す図。
【図１４】管理装置として構成された第一種ネットワーク装置の一実施例を示す図。
【符号の説明】
【００６３】
１    動画データ配信システム
２    印刷装置
３    サーバ
４    第一種ネットワーク装置（テレビ）
５    ネットワーク
７    第二種ネットワーク装置
１１    ＣＰＵ
１２    ＲＯＭ
１３    ＲＡＭ
１７    印刷部
１８    記憶部
３１    ＣＰＵ
３２    ＲＡＭ
３３    ＲＯＭ
３４    ハードディスクドライブ（ＨＤＤ）
３４ｃ  動画データ
５１    Ｉフレーム
５２    Ｂフレーム
５３    Ｐフレーム
６１    ＣＰＵ
６２    ＲＯＭ
６３    ＲＡＭ
６６    表示部
６８    記憶部
【図１】
2007208541.tif 000003
【図２】
2007208541.tif 000004
【図３】
2007208541.tif 000005
【図４】
2007208541.tif 000006
【図５】
2007208541.tif 000007
【図６】
2007208541.tif 000008
【図７】
2007208541.tif 000009
【図８】
2007208541.tif 000010
【図９】
2007208541.tif 000011
【図１０】
2007208541.tif 000012
【図１１】
2007208541.tif 000013
【図１２】
2007208541.tif 000014
【図１３】
2007208541.tif 000015
【図１４】
2007208541.tif 000016